(57)【特許請求の範囲】
【請求項１】
コンテンツプロバイダから放送網を介して受信した原本コンテンツからユーザが選択したコンテンツ内部のオブジェクトに対応するコンテンツ基礎情報の含まれたメッセージを、前記放送網とは異なる伝送網を介して受信し、前記受信したメッセージに含まれたコンテンツ基礎情報に対応する、変換されたコンテンツ基礎情報を提供するコンテンツ基礎情報変換部と、
コンテンツ内部のオブジェクト情報を格納する格納部と、
前記コンテンツ基礎情報変換部から受信した前記変換されたコンテンツ基礎情報を用いて、前記格納部に格納されている前記コンテンツ内部のオブジェクト情報を抽出し、前記抽出されたコンテンツ内部のオブジェクト情報を提供する情報検索部と、
前記情報検索部から提供されるコンテンツ内部のオブジェクト情報を含むメッセージを生成し、前記メッセージを、前記伝送網を介して転送するオブジェクト情報転送部と、を備え、
前記コンテンツ基礎情報は、前記原本コンテンツのチャネル番号情報および前記選択されたコンテンツ内部のオブジェクトの原本コンテンツ内の座標情報を含み、
前記変換されたコンテンツ基礎情報は、前記コンテンツプロバイダから前記伝送網を介して前記コンテンツ基礎情報変換部が受信した放送開始からの相対時間を含み、
前記基礎情報変換部は、コンテンツ基礎情報の含まれたメッセージを受信し、前記受信したメッセージに含まれたコンテンツ基礎情報をコンテンツプロバイダに転送し、前記コンテンツプロバイダから前記コンテンツ基礎情報に対応する、変換されたコンテンツ基礎情報を受信して提供し、
前記コンテンツ基礎情報は、ユーザがコントロールを入力した瞬間の時間を表すクリックタイムを含み、
前記変換されたコンテンツ基礎情報は、コンテンツ識別子を含む
ことを特徴とするコンテンツ内部のオブジェクト情報提供のための装置。
【請求項２】
前記変換されたコンテンツ基礎情報は、実際座標を含むことを特徴とする請求項１に記載のコンテンツ内部のオブジェクト情報提供のための装置。
【請求項３】
コンテンツプロバイダから放送網を介して受信した原本コンテンツからユーザが選択したコンテンツ内部のオブジェクトに対応するコンテンツ基礎情報を生成して提供し、前記コンテンツ基礎情報に対応するコンテンツ内部のオブジェクト情報を、前記放送網とは異なる伝送網を介して受信し、ユーザが視聴できる形態で提供する中央制御部と、
前記中央制御部から提供される前記コンテンツ基礎情報を含むメッセージを、前記伝送網を介してコンテンツ内部のオブジェクト情報を管理する装置に転送し、前記コンテンツ内部のオブジェクト情報を管理する装置から前記コンテンツ基礎情報に対応するコンテンツ内部のオブジェクト情報を含むメッセージを、前記伝送網を介して受信し、前記受信されたメッセージに含まれたコンテンツ内部のオブジェクト情報を前記中央制御部に転送するオブジェクト情報インターフェース部とを有するコンテンツ内部のオブジェクト情報提供のための第1の装置と、
前記中央制御部から提供されるコンテンツ基礎情報の含まれたメッセージを、前記伝送網を介して受信し、前記受信したメッセージに含まれたコンテンツ基礎情報に対応する、変換されたコンテンツ基礎情報を提供するコンテンツ基礎情報変換部と、
コンテンツ内部のオブジェクト情報を格納する格納部と、
前記コンテンツ基礎情報変換部から受信した前記変換されたコンテンツ基礎情報を用いて、前記格納部に格納されている前記コンテンツ内部のオブジェクト情報を抽出し、前記抽出されたコンテンツ内部のオブジェクト情報を提供する情報検索部と、
前記情報検索部から提供されるコンテンツ内部のオブジェクト情報を含むメッセージを生成し、前記メッセージを、前記伝送網を介して転送するオブジェクト情報転送部とを有するコンテンツ内部のオブジェクト情報提供のための第2の装置とを備え、
前記コンテンツ基礎情報は、前記原本コンテンツのチャネル番号情報および前記選択されたコンテンツ内部のオブジェクトの原本コンテンツ内の座標情報を含み、
前記変換されたコンテンツ基礎情報は、前記コンテンツプロバイダから前記伝送網を介して前記コンテンツ基礎情報変換部が受信した放送開始からの相対時間を含み、
前記第2装置のコンテンツ基礎情報変換部は、コンテンツ基礎情報の含まれたメッセージを受信し、前記受信したメッセージに含まれたコンテンツ基礎情報をコンテンツプロバイダに転送し、前記コンテンツプロバイダから前記コンテンツ基礎情報に対応する、変換されたコンテンツ基礎情報を受信して提供し、
前記コンテンツ基礎情報は、ユーザがコントロールを入力した瞬間の時間を表すクリックタイムを含み、
前記変換されたコンテンツ基礎情報は、コンテンツ識別子を含む
ことを特徴とするコンテンツ内部のオブジェクト情報提供のためのシステム。
【請求項４】
前記変換されたコンテンツ基礎情報は、実際座標を含むことを特徴とする請求項３に記載のコンテンツ内部のオブジェクト情報提供のためのシステム。
【請求項５】
コンテンツを提供し、前記コンテンツを提供する媒体でない別の媒体を介してコンテンツ基礎情報を受信し、前記受信したコンテンツ基礎情報に対応する、変換されたコンテンツ基礎情報を前記別の媒体を介して提供するコンテンツプロバイダをさらに含むことを特徴とする請求項３に記載のコンテンツ内部のオブジェクト情報提供のためのシステム。
【請求項６】
コンテンツプロバイダから放送網を介して受信した原本コンテンツからユーザが選択したコンテンツ内部のオブジェクトに対応するコンテンツ基礎情報を提供する段階と、
前記提供されたコンテンツ基礎情報を含む第1メッセージを前記放送網とは異なる伝送網を介してコンテンツ内部のオブジェクト情報を管理する装置に転送する段階と、
コンテンツ基礎情報変換部によって前記転送された第1メッセージを受信し、前記コンテンツ基礎情報変換部によって提供される変換されたコンテンツ基礎情報を用いて、格納部に格納されている前記第1メッセージに含まれたコンテンツ基礎情報に対応するコンテンツ内部のオブジェクト情報を情報検索部によって抽出する段階と、
前記抽出されたコンテンツ内部のオブジェクト情報を含む第2メッセージを、前記伝送網を介して転送する段階、および
前記転送された第2メッセージを受信し、前記受信された第2メッセージに含まれたコンテンツ内部のオブジェクト情報をユーザに提供する段階と、を備え、
前記コンテンツ基礎情報は、前記原本コンテンツのチャネル番号情報および前記選択されたコンテンツ内部のオブジェクトの原本コンテンツ内の座標情報を含み、
変換されたコンテンツ基礎情報は、前記コンテンツプロバイダから前記伝送網を介してコンテンツ基礎情報変換部が受信した放送開始からの相対時間を含み、
前記コンテンツ基礎情報変換部は、前記第1メッセージを受信し、前記受信した第1メッセージに含まれたコンテンツ基礎情報を前記コンテンツプロバイダに転送し、前記コンテンツプロバイダから前記コンテンツ基礎情報に対応する、変換されたコンテンツ基礎情報を受信して提供し、
前記コンテンツ基礎情報は、ユーザがコントロールを入力した瞬間の時間を表すクリックタイムを含み、
前記変換されたコンテンツ基礎情報は、コンテンツ識別子を含む
ことを特徴とするコンテンツ内部のオブジェクト情報提供方法。
【発明の詳細な説明】
【技術分野】
【０００１】
本発明は、コンテンツ内部のオブジェクト情報の提供に関し、より詳しくは、コンテンツ内部のオブジェクトについての情報を提供するに当たって、コンテンツを変更することなく、コンテンツ内部のオブジェクト情報を提供できるコンテンツ内部のオブジェクト情報の提供のための装置及びシステム、並びにコンテンツ内部のオブジェクト情報提供方法に関する。
【背景技術】
【０００２】
従来の技術においては、図１に示すように、メディアを製作する際、特定のコンテンツと、コンテンツ内部のオブジェクト情報とを共に格納し、メディアがコンテンツ再生装置１３０で再生されるとき、ユーザ１４０は、オフライン状態でコンテンツ内部のオブジェクト情報の提供を受ける。即ち、コンテンツ作成者１００は、ユーザ１４０に提供するための原本コンテンツ１０５を作成し、コンテンツ内部のオブジェクト情報プロバイダ１１０により原本コンテンツ１０５に特定の内部オブジェクト情報が付加されて加工されたコンテンツ１１５が作成され、メディア作成者１２０によりメディア１２５が作成される。メディア１２５に格納されているコンテンツがコンテンツ再生装置１３０で再生されるとき、ユーザ１４０が任意のオブジェクトを選択すると（Ｓ１４５）、メディア内部に格納されているコンテンツ内部のオブジェクト情報が得られる（Ｓ１５０）。
【０００３】
図２は、オンライン上でコンテンツ再生装置２４０とコンテンツ内部のオブジェクト情報提供装置２１５とを用いたコンテンツ内部のオブジェクト情報の抽出方法である。
【０００４】
コンテンツ作成者２００は、ユーザ２５０に提供する原本コンテンツ２０５を作成し、コンテンツ内部のオブジェクト情報を付加するために、コンテンツ内部のオブジェクト情報プロバイダ２１０に原本コンテンツ２０５を転送し、コンテンツ内部のオブジェクト情報プロバイダ２１０は、コンテンツ内部のオブジェクト情報提供装置２１５にコンテンツ内部のオブジェクト情報を構成して格納する（Ｓ２１２）。コンテンツ内部のオブジェクト情報プロバイダ２１０により再構成されかつ加工されたコンテンツ２１４は、コンテンツプロバイダ２２０によりユーザ２５０に転送されるが、ここで、コンテンツプロバイダ２２０は、コンテンツ２２２を地上波、空中波、または有線網を介して同報通信（broadcasting）する一連の放送網２３０を通してコンテンツ２２２を提供する者を含む。コンテンツ再生装置２４０は、コンテンツプロバイダ２２０から転送される放送を受信し、再生する受信/再生システムを備えて、放送されるコンテンツを受信し、ユーザ２５０が視聴できるようにする。ユーザ２５０は、コンテンツ２２２を視聴する途中で、コンテンツ再生装置２４０を介してコンテンツ内部のオブジェクトを選択するコントロールメッセージ２５５を与え、このコントロールメッセージにより、コンテンツ再生装置２４０は、コンテンツ内部のオブジェクト情報プロバイダ２１０がコンテンツの該当のオブジェクトに予め指定したコンテンツ内部のオブジェクト情報提供装置２１５から前記放送網２３０とは別のネットワーク通信網を介して該当のオブジェクト情報２４４を受信することになり、ユーザ２５０が視聴できるようになる。しかし、前記図１または図２のような従来の方法によると、下記のような問題が発生する。
１．ユーザに提供するコンテンツ内部のオブジェクト情報、またはオブジェクト情報を得るためのオブジェクト認識情報を放送ストリームに含んで転送しなければならないため、コンテンツ作成者がコンテンツを提供するに当たって、広い帯域幅を必要とし、オブジェクト情報の含まれたコンテンツを送受信するためのコストが上昇することになる。
２．メディアに書き込むか、放送のためにコンテンツに追加したオブジェクトが固定されているため、コンテンツに予め設定されているオブジェクトのみを選択することができるし、メディアに格納したり、コンテンツ内部のオブジェクト情報プロバイダが再構成して製作したコンテンツに特定のオブジェクト情報を付加したり、修正したりすることができないという問題点があった。このような問題点により、従来の技術では、他の技術的解決策が求められている。
【発明の開示】
【発明が解決しようとする課題】
【０００５】
本発明は、上記問題点に鑑みなされたものであり、放送網を介して転送されるコンテンツに関する内部オブジェクト情報をユーザに提供するに当たって、コンテンツ作成者により作成された原本コンテンツを変更するか、コンテンツ内部のオブジェクト情報プロバイダが原本コンテンツに修正を加えることなく、ユーザに修正、追加などの編集が行われたコンテンツ内部のオブジェクト情報を提供できるコンテンツ内部のオブジェクト情報の提供のための装置及びシステム、並びにコンテンツ内部のオブジェクト情報提供方法を提供することを目的とする。
【課題を解決するための手段】
【０００６】
上記の目的を達成するため、本発明によるコンテンツ内部のオブジェクト情報の提供のための提供のための装置は、コンテンツ基礎情報を作成して提供し、コンテンツ内部のオブジェクト情報を受信し、ユーザが視聴できる形態で提供する中央制御部と、前記中央制御部から提供される前記コンテンツ基礎情報を含むメッセージをコンテンツ内部のオブジェクト情報を管理する装置に転送し、前記コンテンツ内部のオブジェクト情報を管理する装置から前記コンテンツ基礎情報に対応するコンテンツ内部のオブジェクト情報を含むメッセージを受信し、受信されたメッセージに含まれたコンテンツ内部のオブジェクト情報を前記中央制御部に転送するオブジェクト情報インタフェース部とを備えている。
【０００７】
また、本発明による本発明によるコンテンツ内部のオブジェクト情報の提供のための装置は、コンテンツ基礎情報の含まれたメッセージを受信し、前記受信したメッセージに含まれたコンテンツ基礎情報に対応する、変換されたコンテンツ基礎情報を提供するコンテンツ基礎情報変換部と、コンテンツ内部のオブジェクト情報を格納する格納部と、前記コンテンツ基礎情報変換部から受信した変換されたコンテンツ基礎情報を用いて、前記格納部に格納されているコンテンツ内部のオブジェクト情報を抽出し、前記抽出したコンテンツ内部のオブジェクト情報を提供する情報検索部と、前記情報検索部から提供されるコンテンツ内部のオブジェクト情報を含むメッセージを作成し、前記メッセージを転送するオブジェクト情報転送部とを備えている。好ましくは、前記コンテンツ基礎情報は、実際の座標、クリックタイム、チャンネル番号などを含み、前記変換されたコンテンツ基礎情報は、実際の座標、相対時間、コンテンツ識別子などを含む。
【０００８】
また、本発明によるコンテンツ内部のオブジェクト情報の提供のためのシステムは、コンテンツ基礎情報を生成して提供し、コンテンツ内部のオブジェクト情報を受信し、ユーザが視聴できる形態で提供する中央制御部と、前記中央制御部から提供される前記コンテンツ基礎情報を含むメッセージを、コンテンツ内部のオブジェクト情報を管理する装置に転送し、前記コンテンツ内部のオブジェクト情報を管理する装置から前記コンテンツ基礎情報に対応するコンテンツ内部のオブジェクト情報を含むメッセージを受信し、受信されたメッセージに含まれたコンテンツ内部のオブジェクト情報を前記中央制御部に転送するオブジェクト情報インタフェース部とを備えるコンテンツ内部のオブジェクト情報の提供のための第１の装置と、コンテンツ基礎情報の含まれたメッセージを受信し、前記受信したメッセージに含まれたコンテンツ基礎情報をコンテンツ内部のオブジェクト情報プロバイダに転送し、前記コンテンツ内部のオブジェクト情報プロバイダから前記コンテンツ基礎情報に対応する、変換されたコンテンツ基礎情報を受信して提供するコンテンツ基礎情報変換部と、コンテンツ内部のオブジェクト情報を格納する格納部と、前記コンテンツ基礎情報変換部から受信した変換されたコンテンツ基礎情報を用いて、前記格納部に格納されているコンテンツ内部オブジェクト情報を抽出し、前記抽出されたコンテンツ内部のオブジェクト情報を提供する情報検索部と、前記情報検索部から提供されるコンテンツ内部のオブジェクト情報を含むメッセージを生成し、前記メッセージを転送するオブジェクト情報転送部とを備えるコンテンツ内部のオブジェクト情報提供のための第２の装置とを備えている。好ましくは、前記コンテンツ内部のオブジェクト情報の提供のためのシステムにおいて、前記コンテンツ基礎情報は、実際の座標、クリックタイム、チャンネル番号などを含み、前記変換されたコンテンツ基礎情報は、実際の座標、相対時間、コンテンツ識別子などを含む。
【０００９】
また、本発明によるコンテンツ内部のオブジェクト情報の提供方法は、コンテンツ基礎情報を提供するステップ１と、前記ステップ１で提供するコンテンツ基礎情報を含むメッセージをコンテンツ内部のオブジェクト情報を管理する装置に転送するステップ２と、前記ステップ２で転送されるメッセージを受信し、前記メッセージに含まれたコンテンツ基礎情報に対応するコンテンツ内部のオブジェクト情報を抽出するステップ３と、前記ステップ３で抽出されたコンテンツ内部のオブジェクト情報を含むメッセージを転送するステップ４と、前記ステップ４で転送されるメッセージを受信し、受信されたメッセージに含まれたコンテンツ内部のオブジェクト情報をユーザに提供するステップ５とを含む。好ましくは、前記コンテンツ内部のオブジェクト情報の提供方法において、前記コンテンツ基礎情報は、実際の座標、クリックタイム、チャンネル番号などを含み、前記変換されたコンテンツ基礎情報は、実際の座標、相対時間、コンテンツ識別子などを含む。
【００１０】
また、本発明によるコンテンツプロバイダは、コンテンツを提供し、前記コンテンツを提供するメディアでない別のメディアを介してコンテンツ基礎情報を受信し、前記受信したコンテンツ基礎情報に対応する、変換されたコンテンツ基礎情報を前記別のメディアを介して提供する者を含む。
【００１１】
一方、好ましい実施例に対する詳細な説明を記述する前に、本発明の各用語の定義を示すと、以下のようになる。
１．コンテンツ：ユーザが視聴できる全ての形態を含むことで、一般に、放送局から各チャンネルで放送されるプログラムをいう。
２．コンテンツ内部のオブジェクト情報：ユーザが各コンテンツを再生して視聴するとき、コンテンツに含まれている物事、背景、人、動物などの任意のオブジェクトをコンテンツ内部オブジェクトといい、このような各オブジェクトが有する特徴及び情報などに対する付加的な説明、データなどを含むことをコンテンツ内部のオブジェクト情報という。
３．コンテンツ基礎情報：コンテンツ内部オブジェクトを抽出するに当たって、必要な最も基本的な情報の集合をいい、ユーザ所望のオブジェクトを抽出するのに使われる時間、空間、該当のコンテンツを識別できる方法などを含む各情報の集合である。
【発明の効果】
【００１２】
以上のように、本発明に係るコンテンツ内部のオブジェクト情報提供のための装置及びシステム、並びにコンテンツ内部のオブジェクト情報提供方法によると、下記のような効果を期待することができる。
１．コンテンツ内部のオブジェクト情報プロバイダがコンテンツに関する付加情報を提供するために、原本コンテンツにオブジェクト情報を付加する別の過程を行うことなく、コンテンツプロバイダからオブジェクトに関する情報のない原本コンテンツがそのまま放送されても、視聴者は、自分のコンテンツ再生装置を介して所望のコンテンツ内部のオブジェクト情報の提供を受けることができる。
２．コンテンツプロバイダ及びコンテンツ内部のオブジェクト情報プロバイダは、自分が提供するコンテンツに対する実時間管理(追加、削除、修正など)が可能となり、これと関連する付加サービスと連携することができる。
【発明を実施するための最良の形態】
【００１３】
以下、本発明の好ましい実施例を、添付図面に基づいて詳しく説明する。
【００１４】
本発明の一実施例のコンテンツ内部のオブジェクト情報提供のための装置は、コンテンツ再生装置やコンテンツ内部のオブジェクト情報の提供装置を例に挙げて説明する。
【００１５】
図３は、本発明による全体構成を示す図であり、図示のように、コンテンツ作成者３００と、コンテンツ内部のオブジェクト情報プロバイダ３１０と、コンテンツプロバイダ３３０と、有無線放送を送受信できる放送網３４０と、コンテンツ再生装置３５０と、コンテンツ内部のオブジェクト情報提供装置３２０とから構成されている。コンテンツ作成者３００がコンテンツ内部のオブジェクト情報プロバイダ３１０に原本コンテンツ３０２を提供すると、コンテンツ内部のオブジェクト情報プロバイダ３１０は、原本コンテンツ３０２から必要なオブジェクトを抽出し(Ｓ３１２)、オブジェクト情報を生成し、生成されたコンテンツ内部のオブジェクト情報をコンテンツ内部のオブジェクト情報提供装置３２０に転送する(Ｓ３１４)。一方、コンテンツプロバイダ３３０は、コンテンツ作成者３００から原本コンテンツ３０４を受信し、放送網３４０を介してコンテンツ再生装置３５０に転送することにより（Ｓ３３２）、ユーザ３６０は、コンテンツを視聴できるようになる。ユーザ３６０がコンテンツを視聴している間に、所望のオブジェクト情報を選択すると(Ｓ３６２)、コンテンツ再生装置３５０は、選択されたオブジェクトに対するコンテンツ基礎情報を抽出し(Ｓ３５２)、コンテンツ内部のオブジェクト情報提供装置３２０に対してオブジェクト情報を要求するメッセージを転送する(Ｓ３５４)。コンテンツ内部のオブジェクト情報提供装置３２０は、前記メッセージを受信し、前記ユーザ３６０により選択されたオブジェクトのコンテンツ基礎情報に対応するコンテンツ内部のオブジェクト情報を検索して、応答メッセージを生成し(Ｓ３２２)、検索されたオブジェクト情報をコンテンツ再生装置３５０に転送し(Ｓ３２４)、ユーザ３６０に、所望のオブジェクト情報を提供する。
【００１６】
図４は、本発明によるコンテンツ内部のオブジェクト情報プロバイダのオブジェクト抽出、及び格納関連データの流れを示す図であり、図４を参照して、コンテンツ内部のオブジェクト情報プロバイダ３１０がコンテンツ作成者３００により作成された原本コンテンツ３０２から情報を提供するオブジェクトを抽出し(Ｓ３１２)、コンテンツ内部のオブジェクト情報提供装置３２０は、このオブジェクト情報を受信して（Ｓ３１４）、格納部４３０に格納している。即ち、コンテンツ内部のオブジェクト情報プロバイダ３１０で抽出されたオブジェクト情報は、コンテンツ内部のオブジェクト情報提供装置３２０に転送され、コンテンツ基礎情報変換部４００で前記転送されたオブジェクト情報が受信され、受信されたオブジェクト情報は、情報検索部４２０を経て格納部４３０に格納される。前記コンテンツ基礎情報変換部４００及び前記情報検索部４２０は、図４に示すように、コンテンツ内部のオブジェクト情報プロバイダ３１０から転送されたオブジェクト情報を格納する機能の他にも、ユーザにより選択されたオブジェクトに対する情報を提供する機能を行うが、これについては後述する。
【００１７】
図５は、本発明によるコンテンツ内部のオブジェクト情報提供装置の格納部に格納されるコンテンツ内部のオブジェクト情報のデータ構成を示す図であり、オブジェクト情報プロバイダ３１０が情報を提供するオブジェクトを抽出した後、コンテンツ内部のオブジェクト情報提供装置３２０の格納部４３０に格納するために、ＸＭＬのように、時間または空間といった特定の基準により、コンテンツの内容を細かく記述できる方式でオブジェクト情報を構成する。図５に示すように、コンテンツ内部のオブジェクト情報提供装置３２０の格納部４３０に格納されているコンテンツ内部のオブジェクト情報は、ユーザにより選択されたコンテンツを識別するための各コンテンツに対するコンテンツ識別子５００から構成される。コンテンツ識別子５００によりユーザがどのコンテンツに対するオブジェクトを選択したかが確認されると、ユーザがコンテンツのオブジェクトを選択した時間を確認するために、各コンテンツ識別子５００は、選択されたコンテンツの全体時間に対する領域を１以上で割った各時間(Frame)領域５２０から構成される。ユーザが選択したコンテンツ及び選択時間が確認できれば、ユーザが選択したオブジェクトに対する座標を確認する必要があるが、このため、各時間(Frame)領域５２０は、各時間(Frame)領域５２０に対する空間(座標)領域５３０と、これに対応するオブジェクト識別子５４０とから構成される。このとき、各オブジェクト識別子５４０は、ユーザにより選択されたオブジェクトのオブジェクト情報５５０を含んでいるため、前記オブジェクト情報５５０をユーザに提供する。例えば、ユーザにより選択されたオブジェクトが衣類である場合、オブジェクト情報５５０は、衣類の種類、値段、生地の素材、販売先などを含む。
【００１８】
図６は、本発明によるコンテンツ再生装置の内部構成図であり、コンテンツ再生装置３５０が受信モジュール６４０を介して特定のコンテンツの放送を受信し、中央制御部６００とＡ/Ｖ出力モジュール６６０とを経てＡ/Ｖシステム６７０に出力する間に再生されるコンテンツ内部のオブジェクトに対し、ユーザ３６０のコントロールにより、コンテンツ内部のオブジェクト情報の要求がある場合、コンテンツ再生装置３５０の内部及びコンテンツ内部のオブジェクト情報提供装置３２０とコンテンツ再生装置３５０間のデータ、またはメッセージの伝達過程を示している。コンテンツ再生装置３５０は、放送を受信し、ユーザ３６０が視聴できるようにコンテンツを再生する機能を有する装置であれば、何れのものも用いることができる。コンテンツ再生装置３５０は、コンテンツプロバイダ(図示せず)から送出される放送波やケーブル放送信号を放送ストリームに変換する受信モジュール６４０と、変換された放送ストリームを用いて、ユーザ３６０が放送を視聴できるように該当のアプリケーションを行う中央制御部６００と、Ａ/Ｖ信号を区分し、Ａ/Ｖシステムに出力するＡ/Ｖ出力モジュール６６０と、ユーザ３６０からのコントロールにより処理するためのコントロール処理モジュール６２０と、要求されたオブジェクト情報を処理するために、コンテンツ内部のオブジェクト情報提供装置３２０と連携してオブジェクト情報を得るオブジェクト情報インタフェース部６１０とから構成されている。また、図６には、コンテンツ再生装置３５０からＡ/Ｖ信号を受信し、ユーザ３６０が視聴できるようにするＡ/Ｖシステム６７０と、コンテンツ再生装置３５０に任意のコントロールメッセージを転送するユーザ３６０とが示されている。
【００１９】
ユーザ３６０がＡ/Ｖシステム６７０を介してコンテンツを視聴している間、コンテンツ内部の任意のオブジェクトを選択するコントロールメッセージを発生させると、コントロール処理モジュール６２０は、このメッセージを受信し、中央制御部６００に該当のオブジェクトに対する情報を要求し、中央制御部６００は、オブジェクト情報インタフェース部６１０にユーザが選択したオブジェクトの空間座標、ユーザがオブジェクトを選択した時間、ユーザが再生しているチャンネル番号のようなコンテンツ基礎情報を転送する。オブジェクト情報インタフェース部６１０は、前記コンテンツ基礎情報を組み合わせてオブジェクト情報要求メッセージを作成し、コンテンツ内部のオブジェクト情報提供装置３２０に転送する。コンテンツ内部のオブジェクト情報提供装置３２０は、前記要求されたメッセージに含まれたコンテンツ基礎情報に対応するコンテンツ内部のオブジェクト情報を抽出し、抽出されたコンテンツ内部のオブジェクト情報をオブジェクト情報インタフェース部６１０に転送する。オブジェクト情報インタフェース部６１０は、受信したオブジェクト情報を中央制御部６００に転送し、中央制御部６００は、オブジェクト情報Ａ/ＶストリームをＡ/Ｖ出力モジュール６６０に転送し、Ａ/Ｖ出力モジュール６６０は、受信したオブジェクト情報Ａ/ＶストリームをＡ/Ｖシステム６７０に転送し、ユーザに提供する。
【００２０】
図７は、本発明によるコンテンツ再生装置内部の中央制御部の構成を示す図であり、図示のように、中央制御部６００は、ストリーム受信部７２０と、オブジェクト情報受信部７３０と、コントロールメッセージ受信部７４０と、時間情報受信部７５０と、Ａ/Ｖストリーム送信部７６０と、コンテンツ再生モジュール７１０と、データ処理モジュール７００とから構成されている。コンテンツ再生モジュール７１０及びデータ処理モジュール７００は、ハードウェアまたはソフトウェアで具現化することができる。ストリーム受信部７２０は、受信モジュール６４０からＡ/Ｖストリームを受信し、コンテンツ再生モジュール７１０に転送する。コンテンツ再生モジュール７１０は、ユーザがコンテンツを視聴できる手段を提供するモジュールであって、図７に示すように、Ａ/ＶストリームをＡ/Ｖストリーム送信部７６０に転送するか、さらに他の実施例として、ウェブブラウザを介してユーザにコンテンツを提供することも可能である。また、コンテンツ再生モジュール７１０は、データ処理モジュール７００からコンテンツ内部のオブジェクト情報を受信し、これをユーザに提供する。オブジェクト情報受信部７３０は、オブジェクト情報インタフェース部６１０に基礎情報を提供し、かつ、オブジェクト情報インタフェース部６１０からコンテンツ内部のオブジェクト情報を受信する機能を行う。コントロールメッセージ受信部７４０は、コントロール処理モジュール６２０からユーザが選択した座標と、ユーザがコントロールした時間に関する情報とを受信し、これをデータ処理モジュール７００に転送する。一方、データ処理モジュール７００は、コンテンツ再生装置３５０のチャンネル管理モジュール６３０からチャンネル番号に関する情報を受信する。このとき、チャンネル管理モジュール６３０は、ユーザがコントロールメッセージを発生させて、コンテンツ再生装置３５０の現在のチャンネルを変更できるようにするモジュールであり、ユーザからコントロール処理モジュール６２０に転送されたコントロールメッセージがチャンネルを変更する形態のコントロールである場合、チャンネル管理モジュール６３０がこれを受信し、現在のチャンネルを変更する。また、ユーザが任意の時間にコンテンツ内部のオブジェクト情報を要求する場合、基礎情報の一つであるチャンネル番号を抽出して提供する役割を行う。時間情報受信部７５０は、システム時間管理モジュール６５０から同期化された時間情報を受信する。このとき、システム時間管理モジュール６５０は、コンテンツ再生装置３５０がコンテンツプロバイダ３３０から提供されるコンテンツを再生するに当たって、コンテンツプロバイダ３３０の放送システムと時間を同期化させて、該当のコンテンツが放送される時間を一致させ、ユーザがオブジェクト情報を得るために任意の瞬間に発生させたコントロールに対する基礎情報を抽出するに当たって、時間情報を得るために使用されるモジュールである。
【００２１】
図８は、本発明によるコンテンツ再生装置の内部でコンテンツ基礎情報を抽出するためのモジュールの構成及び基礎情報の抽出のためのデータの流れを示す図であり、中央制御部６００のデータ処理モジュール７００は、入力されたコントロールに基づいて、中央制御部６００のコントロールメッセージ受信部７４０から、ユーザが選択した座標と、ユーザがコントロールを入力した瞬間の時間を表すクリックタイム８２０を抽出し、チャンネル管理モジュール６３０からチャンネル番号８３０を抽出する。データ処理モジュール７００が基礎情報を抽出する過程を具体的に説明すると、実際の座標８１０の場合、画面クリックの際に、選択されたユーザの座標が中央制御部６００に入力されると、中央制御部６００のコントロールメッセージ受信部７４０を経てデータ処理モジュール７００でこれを受信した後、さらに、コンテンツ再生モジュール７１０に転送し、コンテンツの実際の座標が返還され、基礎情報のうち、実際の座標８１０として使用される。クリックタイム８２０の場合、コンテンツ再生装置３５０のシステム時間管理モジュール６５０を介して現在コンテンツ再生装置３５０で動作している時間がこのコンテンツプロバイダ(図示せず)のシステムと同期化された後、ユーザがコントロールを入力した瞬間の時間を基礎情報として使用する。チャンネル番号８３０の場合、チャンネル管理モジュール６３０を介してユーザが選択した現在のチャンネル情報が基礎情報として使用される。前記実際の座標８１０、クリックタイム８２０、チャンネル番号８３０は、デジタル放送などで使われるＥＰＧ(Electronic Program Guide)情報のようなプログラム情報からも得られる。
【００２２】
図９ａ及び図９ｂは、それぞれ本発明によるコンテンツ内部のオブジェクト情報要求メッセージ９００と、変換されたコンテンツ基礎情報９３０のデータ構成とを示す図であり、コンテンツ基礎情報９２０は、コンテンツ再生装置の中央制御部６００から抽出された実際の座標８１０と、クリックタイム８２０と、チャンネル番号８３０とから構成されており、図９ａに示すように、オブジェクト情報要求メッセージ９００は、コンテンツ基礎情報９２０の他にもコンテンツ再生装置３５０のアドレス９１０を含んでいる。コンテンツ内部のオブジェクト情報提供装置３２０のコンテンツ基礎情報変換部４００は、前記オブジェクト情報要求メッセージ９００を変換し、図９ｂに示すように、変換されたコンテンツ基礎情報９３０を生成するが、コンテンツ基礎情報９３０には、実際の座標８１０と、相対時間９４０と、コンテンツ識別子５００とを備えている。
【００２３】
図１０は、本発明によるコンテンツ内部のオブジェクト情報提供装置３２０のコンテンツ内部のオブジェクト情報の抽出のためのモジュールの構成及びオブジェクト情報の抽出のためのデータの流れを示す図であり、コンテンツ内部のオブジェクト情報提供装置３２０は、コンテンツ再生装置３５０からオブジェクト情報要求メッセージ９００を入力として受信し、コンテンツプロバイダ３３０からコンテンツ識別子５００及び相対時間９４０を受信し、コンテンツ基礎情報９３０に変換するコンテンツ基礎情報変換部４００と、変換されたコンテンツ基礎情報９３０を用いて、格納部４３０から特定のコンテンツ内部オブジェクト情報を抽出する情報検索部４２０と、格納部４３０から抽出されたオブジェクト情報データをコンテンツ再生装置３５０に転送するために、応答メッセージを作成するオブジェクト情報転送部１０１０とを備えている。コンテンツ内部のオブジェクト情報提供装置３２０のコンテンツ基礎情報変換部４００は、コンテンツ再生装置３５０からオブジェクト情報要求メッセージ９００を受信する。前記受信したメッセージは、図９ａに示すように、コンテンツ再生装置３５０のアドレス９１０と、コンテンツ基礎情報９２０とを備えている。コンテンツ内部のオブジェクト情報提供装置３２０の格納部４３０に格納されているユーザにより選択されたオブジェクトに対するオブジェクト情報を得るために、ユーザにより選択されたコンテンツがどのようなコンテンツであるか、ユーザがオブジェクトを選択した時間が該当のコンテンツの全体の再生時間のうち、どの時点であるかを確認する必要があり、このため、コンテンツ基礎情報変換部４００は、前記コンテンツ基礎情報９２０内の実際の座標８１０を、そのまま保ち、チャンネル番号８３０及びクリックタイム８２０をコンテンツプロバイダ３３０に転送する。コンテンツプロバイダ３３０は、前記チャンネル番号８３０と、クリックタイム８２０とに対応するコンテンツ識別子５００と、コンテンツの開始時間からの相対時間９４０とを前記コンテンツ内部のオブジェクト情報提供装置３２０の前記コンテンツ基礎情報変換部４００に転送する。前記チャンネル番号８３０と、クリックタイム８２０とに対応するコンテンツ識別子５００と相対時間９４０とに対する情報をコンテンツ基礎情報変換部４００に予め格納しておき、前記オブジェクト情報要求メッセージ９００の受信の際に、直接変換してもよい。前記コンテンツ基礎情報変換部４００は、コンテンツ内部のオブジェクト情報のある格納部４３０からコンテンツ内部のオブジェクト情報を抽出するための実際の座標８１０、相対時間９４０、コンテンツ識別子５００を情報検索部４２０に転送する。図５に示すように、変換されたコンテンツ基礎情報９３０のコンテンツ識別子５００や相対時間９４０により情報検索部４２０は、格納部４３０から時間(Frame)領域５２０を把握することができ、実際の座標８１０により空間(座標)領域５３０やオブジェクト識別子５４０が得られ、オブジェクト識別子５４０により実際のオブジェクト情報５５０を抽出することができる。抽出されたオブジェクト情報は、オブジェクト情報転送部１０１０に転送され、コンテンツ再生装置３５０に応答するオブジェクト情報応答メッセージを構成することになる。オブジェクト情報応答メッセージは、再びコンテンツ再生装置３５０のオブジェクト情報インタフェース部６１０を介して、中央制御部６００のデータ処理モジュール７００によりユーザ３６０が視聴できる形態に再構成される。
【００２４】
図１１は、本発明によるコンテンツ再生装置のコンテンツ基礎情報の抽出及びコンテンツ内部のオブジェクト情報の受信過程を示す一実施例の処理フローチャートであり、図を参照して、コンテンツ再生装置が動作を開始すると、先ず、コンテンツ再生装置の起動及び初期化作業が行われ(Ｓ１１００)、コンテンツを受信し、再生する(Ｓ１１０５)。コンテンツ再生装置は、ユーザからオブジェクト選択のコントロールが発生するまで待機し、Ｓ１１１０でユーザからオブジェクト選択のコントロールが発生すると、コンテンツの基礎情報９２０を収集し(Ｓ１１１５)、コンテンツ内部のオブジェクト情報提供装置３２０に対し、オブジェクト情報要求メッセージ９００を転送する(Ｓ１１２０)。また、コンテンツ再生装置３５０は、コンテンツ内部のオブジェクト情報提供装置３２０からオブジェクト情報応答メッセージの受信を待機し(Ｓ１１２５)、もし、Ｓ１１３０でオブジェクト情報応答メッセージが受信されると、その応答メッセージを分析し(Ｓ１１３５)、コンテンツ内部のオブジェクト情報をユーザに提供する(Ｓ１１４０)。
【００２５】
図１２は、本発明によるコンテンツ内部のオブジェクト情報提供装置におけるオブジェクト情報の格納及び抽出過程を示す一実施例の処理フローチャートであり、図を参照して、先ず、コンテンツ内部のオブジェクト情報提供装置３２０が起動され、初期化作業が行われる(Ｓ１２００)。その後、オブジェクト情報要求メッセージの受信を待機し(Ｓ１２０５)、Ｓ１２１０でオブジェクト情報に対する抽出要求の信号が受信されると、オブジェクト情報要求メッセージ９００の受信モードに転換する(Ｓ１２１５)。Ｓ１２２０において、オブジェクト情報要求メッセージが受信されると、受信されたメッセージを分析し(Ｓ１２２５)、コンテンツ内部のオブジェクト情報を格納部４３０から抽出する(Ｓ１２３０)。抽出されたコンテンツ内部のオブジェクト情報を用いて、コンテンツ再生装置３５０に対する応答メッセージを構成し、オブジェクト情報転送部１０１０を介してコンテンツ再生装置３５０に転送する(Ｓ１２３５)。もし、図１２のステップＳ１２１０でオブジェクト情報に対する抽出要求の信号が受信されなければ、処理過程はステップＳ１２４０へ進行し、Ｓ１２４０でオブジェクト情報の格納を要求する信号が到達すると、コンテンツ内部のオブジェクト情報プロバイダ(図示せず)から格納するオブジェクト情報を受信し(Ｓ１２４５)、格納するオブジェクト情報を構造化して（Ｓ１２５０）、格納部４３０に格納する(Ｓ１２５５)。
【００２６】
以上のように、上記実施例を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００２７】
【図１】メディアによる従来のコンテンツ内部のオブジェクト情報の提供方法を示す図である。
【図２】コンテンツにコンテンツ内部のオブジェクト情報を付加し、従来のコンテンツ内部のオブジェクト情報を提供する方法を示す図である。
【図３】本発明による全体構成を示す図である。
【図４】本発明によるコンテンツ内部のオブジェクト情報プロバイダのオブジェクト抽出及び格納関連データの流れを示す図である。
【図５】本発明によるコンテンツ内部のオブジェクト情報提供装置の格納部に格納されるコンテンツ内部のオブジェクト情報のデータの構成を示す図である。
【図６】本発明によるコンテンツ再生装置の内部構成図である。
【図７】本発明によるコンテンツ再生装置内の中央制御部の構成を示す図である。
【図８】本発明によるコンテンツ再生装置の内部でコンテンツ基礎情報を抽出するためのモジュールの構成及び基礎情報の抽出のためのデータの流れを示す図である。
【図９ａ】本発明によるコンテンツ内部のオブジェクト情報要求メッセージのデータ構成を示す図である。
【図９ｂ】本発明による変換されたコンテンツ基礎情報のデータ構成を示す図である。
【図１０】本発明によるコンテンツ内部のオブジェクト情報提供装置のコンテンツ内部のオブジェクト情報の抽出のためのモジュールの構成及びオブジェクト情報の抽出のためのデータの流れを示す図である。
【図１１】本発明によるコンテンツ再生装置のコンテンツ基礎情報の抽出及びコンテンツ内部のオブジェクト情報の受信過程を示す一実施例の処理フローチャートである。
【図１２】本発明によるコンテンツ内部のオブジェクト情報提供装置におけるオブジェクト情報の格納及び抽出過程を示す一実施例の処理フローチャートである。
【符号の説明】
【００２８】
３２０  コンテンツ内部のオブジェクト情報の提供装置
３５０  コンテンツ再生装置
４００  コンテンツ基礎情報変換部
４２０  情報検索部
４３０  格納部
６００  中央制御部 
６１０  オブジェクト情報インタフェース部
７００  データ処理モジュール 
７１０  コンテンツ再生モジュール
１０１０  オブジェクト情報転送部
【図１】
0005383179.tif 000002
【図２】
0005383179.tif 000003
【図３】
0005383179.tif 000004
【図４】
0005383179.tif 000005
【図５】
0005383179.tif 000006
【図６】
0005383179.tif 000007
【図７】
0005383179.tif 000008
【図８】
0005383179.tif 000009
【図９ａ】
0005383179.tif 000010
【図９ｂ】
0005383179.tif 000011
【図１０】
0005383179.tif 000012
【図１１】
0005383179.tif 000013
【図１２】
0005383179.tif 000014